【事件の表示】
　特許第２７８８４１６号「中通し竿」の請求項１ないし３、６に係る特許に対する特許異議の申立てについて、次のとおり決定する。
【結論】
　訂正を認める。
　特許第２７８８４１６号の請求項１、３に係る特許を維持する。
【理由】
１．手続きの経緯
　本件特許第２７８８４１６号に係る発明は、平成６年１０月１１日に特許出願され、平成１０年６月５日にその特許の設定登録がなされ、その後、平成１１年２月２２日に池田廣一により特許異議の申立てがなされ、次いで、平成１１年４月２７日付け（平成１１年５月２８日発送）で取消理由通知がなされ、その指定期間内である平成１１年７月２６日に意見書提出と共に訂正請求がなされたものである。
２．訂正請求について
２−１．訂正請求の趣旨及び訂正事項
　訂正請求の趣旨は、本件特許第２７８８４１６号の明細書（願書に添付した明細書であって、以下、「特許明細書」という。）を訂正請求書に添付した訂正明細書のとおり訂正することを求めるものである。
　そして、その訂正事項▲１▼〜▲１０▼は、下記に記載のとおりである。
（ａ）訂正事項▲１▼
　特許明細書の特許請求の範囲の記載を、
「【請求項１】　大径竿体の先端部内面に小径竿体における後端部を嵌合固定可能に形成するとともに、前記先端部より後方側部分に、糸（ａ）を支持する糸支持手段を設けてある中通し竿であって、
前記糸支持手段の内面径（Ｄ）を前記先端部の内面径（ｄ）より大径に形成し、前記小径竿体を前記大径竿体の糸支持手段形成部位内に装入可能に構成するとともに、前記大径竿体における先端部の竿厚（Ｌ１）を前記後方側部分の竿厚（Ｌ２）より厚く設定してあり、
　前記糸支持手段が、強化繊維と樹脂とからなる竿素材の内面に、周方向に沿って一体的に焼成形成された凹凸面（８Ａ，８Ｂ）である中通し竿。
　【請求項２】　前記凸面部（８Ｂ）に、周方向の強化繊維が配置してある請求項１記載の中通し竿。
　【請求項３】　前記糸支持手段が螺旋体である請求項１記載の中通し竿。
　【請求項４】　大径竿体の先端部内面に小径竿体における後端部を嵌合固定可能に形成するとともに、前記先端部より後方側部分に、糸（ａ）を支持する糸支持手段を設けてある中通し竿であって、
　前記糸支持手段の内面径（Ｄ）を前記先端部の内面径（ｄ）より大径に形成し、前記小径竿体を前記大径竿体の糸支持手段形成部位内に装入可能に構成するとともに、前記大径竿体における先端部の竿厚（Ｌ１）を前記後方側部分の竿厚（Ｌ２）より厚く設定してあり、
　前記糸支持手段がリング体である中通し竿。」と訂正する。
（ｂ）訂正事項▲２▼
　特許明細書の発明の詳細な説明の欄の段落
　【０００３】を、
「【発明が解決しようとする課題】
　しかしながら、上記従来構成のように大径竿体に装着した糸支持手段の内径を小径竿体の後端部外径より大きくする為に、大径竿体の先端部より後方部分の竿厚を一定にした状態で径を拡大している。したがって、公報の第１図で示す如く振出竿を長く伸ばして使用する場合に、小径竿体の後端部を嵌合固定した大径竿体前端部は、その外径が細くなった部分で魚の荷重に対抗することになるので、強度面で不十分な面があった。
　つまり、魚が針掛かりしてそれに対抗する状態で竿が弓なりに曲がった場合に、大径竿体の前端部とこれに嵌合する小径竿体の後端部とが、互いに曲がりの運続性を阻害する直線状態に戻ろうとするので、この部分に大きな荷重が作用し面圧が高くなることになる。これに対して、大径竿体の前端部は後方部分に比べて小径であり、かつ、竿厚も後方部分と同様であるので、このような大きな荷重に対抗するには強度が不足し易く、大径竿体の先端口部に面圧不足による割れが発生することもある。
　本発明の目的は、中通し竿で有りながら糸の繰り出し抵抗を低減できる糸支持手段を装着するものであっても、小径竿体を大径竿体内に収納したコンパクトな仕舞いを可能とするとともに、長く伸ばして使用する場合の大きな曲げ荷重にも十分対応可能な大径竿体の先端部形状を形成し、かつ、糸支持手段と竿との密着性を向上させる点にある。」と訂正する。
（ｃ）訂正事項▲３▼
　特許明細書の発明の詳細な説明の欄の段落【０００４】を、
「【課題を解決するための手段】
　本発明の中通し竿の特徴構成は、大径竿体の先端部内面に小径竿体における後端部を嵌合固定可能に形成するとともに、前記先端部より後方側部に、糸を支持する糸支持手段を設けてある中通し竿であって、前記糸支持手段の内面径を前記先端部の内面径より大径に形成し、前記小径竿体を前記大径竿体の糸支持手段形成部位内に装入可能に構成するとともに、前記大径竿体における先端部の竿厚を前記後方側部分の竿厚より厚く設定してあり、前記糸支持手段が、強化繊維と樹脂とからなる竿素材の内面に、周方向に沿って一体的に焼成形成された凹凸面である点にあり、その作用効果は次の通りである。」と訂正する。
（ｄ）訂正事項▲４▼
　特許明細書の発明の詳細な説明の欄の段落【０００５】を、
「【作用】
　糸支持手段の内面径を前記先端部の内面径より大径に形成することによって、この先端部の内面に嵌合する後端部を有する小径竿体は、テーパ状の先細り状態であるから、糸支持手段の形成部位内に入り込むことが可能になり、小径竿体を大径竿体内に収納することができ、竿の仕舞いの状態をコンパクトなものにでき、大径竿体の先端部は、糸支持手段を装着した後方部分より竿厚が厚いので、魚が掛かった場合の曲げ荷重にも十分対応でき、竿の先端口部の割れ等を防止することが可能である。
　しかも、糸支持手段が竿素材の内面に一体的に焼成形成されたものであるので、その為に糸支持手段が竿素材と別体に形成されかつ糸支持手段自体の弾性変形に起因する圧接力や接着剤等で竿内に支持されている場合に比べて密着度が低いという懸念はなく、魚が掛かって竿が弓なりに曲がった場合においても、糸支持手段が竿内面より離れることはない。」と訂正する。
（ｅ）訂正事項▲５▼
　特許明細書の発明の詳細な説明の欄の段落【０００６】を、
「【発明の効果】
　糸支持手段を設けている割には、小径竿体を大径竿体内に収納して竿の仕舞いをコンパクトにできることによって、釣り場所を移動する場合等の持ち運び時においても釣り人の負担とならない良さがあるとともに、竿の厚さを荷重の作用する部位に対応してその荷重に耐えうるように設定することによって、竿の先端口部の割れ等を未然に回避できるに至った。
　そして、大径竿体の先端部の竿厚が厚いものであるから、この部分の剛性を高くすることができ、この先端部が変形しにくくなっているので、小径竿体を収納する際に、例えば先端部の剛性が低く変形し易い場合に見られるように小径竿体の進入方向が竿軸芯からズレようとする傾向をこの剛性の低い先端部で抑えることは難しいが、本発明の場合は、剛性が高いので、その先端部で竿軸芯から大きく逸れさせることを阻止でき、それだけ小径竿体で糸支持手段を接触損傷させるといったことも防止できる。
　しかも、糸支持手段が竿素材の内面に一体的に焼成形成されたものであるので、竿素材と糸支持手段の密着度が高く、魚が掛かって竿が弓なりに曲がった場合においても、糸支持手段が竿内面より離れることはない。」と訂正する。
（ｆ）訂正事項▲６▼
　特許明細書の発明の詳細な説明の欄の段落【０００７】を、
「［その他の目的・構成・作用・効果］
（１）請求項２における発明の目的は、請求項１における発明の目的に加えて、竿素材の内面で突出する凹凸面を強化して、糸との接触においても容易に弱体化しない構成のものを提供する点にあり、この為に採られた構成は、請求項１の構成において、前記凸面部に、周方向の強化繊維が配置してある点にあり、その作用効果は次の通りである。
　つまり、凸面部に強化繊維が配置してあるので、その凸面部が強化され、かつ、強化繊維の方向が周方向であるので、周方向に強化繊維が位置することになり、針掛かりした魚の走りによって糸の位置が周方向においてズレを生じたとしても、そのズレた位置において強化繊維が配置されているので、強化繊維の機能が十分に生かされることになる。」と訂正する。
（ｇ）訂正事項▲７▼
　特許明細書の発明の詳細な説明の欄の段落【０００８】を、
「（２）請求項３における発明の目的は、請求項１の目的に加えて、糸支持手段としてより取扱易いものを提供する点にあり、この為に採られた構成は、請求項１の構成において、前記糸支持手段が螺旋体である点にあり、その作用効果は次の通りである。
　つまり、螺旋体であるので、リング体の複数個分を一体で取り扱うことができ、製作時において竿体内へ装着する場合にも、一体で取扱うことができるので、取扱いが容易になる。」と訂正する。
（ｈ）訂正事項▲８▼
　特許明細書の発明の詳細な説明の欄の段落【０００９】を、
「（３）請求項４における発明の目的は、中通し竿で有りながら糸の繰り出し抵抗を低減できる糸支持手段を装着するものであっても、小径竿体を大径竿体内に収納したコンパクトな仕舞いを可能とするとともに、長く伸ばして使用する場合の大きな曲げ荷重にも十分対応可能な大径竿体の先端部形状を形成すると共に、糸支持手段としての材質等を容易に選定できるものを提供する点にあり、この為に採られた構成は、大径竿体の先端部内面に小径竿体における後端部を嵌合固定可能に形成するとともに、前記先端部より後方側部分に、糸を支持する糸支持手段を設けてある中通し竿であって、前記糸支持手段の内面径を前記先端部の内面径より大径に形成し、前記小径竿体を前記大径竿体の糸支持手段形成部位内に装入可能に構成するとともに、前記大径竿体における先端部の竿厚を前記後方側部分の竿厚より厚く設定してあり、前記糸支持手段がリング体である点にあり、その作用効果は次の通りである。」と訂正する。
（ｉ）訂正事項▲９▼
　特許明細書の発明の詳細な説明の欄の段落【００１０】を、
「糸支持手段の内面径を前記先端部の内面径より大径に形成することによって、この先端部の内面に嵌合する後端部を有する小径竿体は、テーパ状の先細り状態であるから、糸支持手段の形成部位内に入り込むことが可能になり、小径竿体を大径竿体内に収納することができ、竿の仕舞いの状態をコンパクトなものにでき、大径竿体の先端部は、糸支持手段を装着した後方部分より竿厚が厚いので、魚が掛かった場合の曲げ荷重にも十分対応でき、竿の先端口部の割れ等を防止することが可能である。」と訂正する。
（ｊ）訂正事項▲１０▼
　特許明細書の発明の詳細な説明の欄の段落【００１１】を、
「さらに、糸支持手段がリング体であるので、収納される小径竿体の外形と同様な形状となり収納を円滑に行えるとともに、リング体として竿体とは別体に構成してあるので、その材質等を任意に選定でき、製作上有利である。」と訂正する。
２−２．訂正の目的の適否、新規事項の有無及び拡張・変更の存否
　上記訂正事項▲１▼は、特許明細書の特許請求の範囲の請求項１及び２を削除し、請求項３の記載「形成された」を「一体的に焼成形成された」と訂正して構成を限定するとともに、請求項３を請求項１、請求項４を請求項２、請求項５を請求項４、請求項６を請求項３とそれぞれ訂正するものであるから、特許請求の範囲の減縮を目的とする
ものと認められる。
　上記訂正事項▲２▼〜▲１０▼は、上記訂正事項▲１▼の特許請求の範囲の訂正に伴い、対応する発明の詳細な説明の記載を整合させるための訂正であり、明りょうでない記載の釈明を目的とするものと認められる。
　そして、上記訂正事項▲１▼〜▲１０▼は、願書に添付した明細書又は図面に記載された事項の範囲内のものと認められ、実質上特許請求の範囲を拡張し、又は変更するものであるとも認められない。
２−３．独立特許要件の判断
２−３−１．訂正明細書の発明
　訂正明細書の発明は、訂正請求書に添付された訂正明細書の特許請求の範囲に記載されたとおりのもの（上記「訂正事項▲１▼」参照。）である。
２−３−２．刊行物
　特許明細書の請求項１、２、３、６に係る各発明に対して、当審が通知した取消理由で引用した刊行物１〜５には、以下の事項が記載されていると認められる。
〔刊行物１〕実願平１−１２８５７６号（実開平３−６７５５４号）のマイクロフイルムには、
「大径の竿単体の先端部内面に小径の竿単体における後端部を嵌合固定可能に形成するとともに、前記先端部より後方側部分に、導糸をガイドするスプリングからなるスパイラル部材を設けてある中通し竿であって、
前記スパイラル部材の内面径を前記先端部の内面径より大径に形成し、前記小径の竿単体を前記大径の竿単体のスパイラル部材形成部位内に装入可能に構成するとともに、前記大径の竿単体における先端部の竿厚と前記後方側部分の竿厚は同じである」点が、
〔刊行物２〕実願昭５５−１０５７８７号（実開昭５７−２８６７３号）のマイクロフィルムには、「大径竿体における先端部の竿厚を後方側部分の竿厚より厚く設定する」点が、
〔刊行物３〕実公昭５９−３２２７４号公報には、「大径竿体における先端部の竿厚を後方側部分の竿厚より厚く設定する」点が、
〔刊行物４〕実願平２−５８６５６号（実開平４−１６５６４号）のマイクロフイルムには、
「大径竿体における先端部の竿厚を後方側部分の竿厚より厚く設定する」点、及び、
「プリプレグを焼成して形成した竿材」が、
〔刊行物５〕特開平１−３０４８３６号公報には、
「糸支持手段が竿素材の内面に周方向に沿って形成された」点、及び、
「合成樹脂を含浸した繊維を焼成して形成した、螺旋体からなる糸支持手段」が、
それぞれ記載されているものと認められる。
２−３−３．対比・判断
　当審が取消理由を通知した、特許明細書の特許請求の範囲の請求項１、２、３、６に係る各発明のうち、請求項１、２に係る各発明は、訂正請求により削除されたから判断する必要はなく、請求項３、６に係る各発明は、訂正請求によりそれぞれ請求項１、３に係る各発明となったので、訂正明細書の請求項１、３に係る各発明について検討する。
　訂正明細書の請求項１に係る発明と上記刊行物１に記載の発明とを対比すると、
後者の「大径の竿単体」、「小径の竿単体」、「導糸」、「ガイド」、「スパイラル部材」は、前者の「大径竿体」、「小径竿体」、「糸」、「支持」、「糸支持手段」にそれぞれ相当すると認められるから、両者は、以下の点で相違するほかは一致するものと認められる。
（相違点１）前者は、大径竿体における先端部の竿厚（ＬＩ）を後方側部分の竿厚（Ｌ２）より厚く設定してあるのに対して、後者は、大径竿体における先端部の竿厚と後方側部分の竿厚は同じである点。
（相違点２）前者は、糸支持手段が、強化繊維と樹脂とからなる竿素材の内面に、周方向に沿って一体的に焼成形成された凹凸面（８Ａ，８Ｂ）であるのに対して、後者はそうではない点。
　上記各相違点について検討すると、
相違点１における前者の構成は周知（刊行物２〜４参照。）であるが、
相違点２における前者の構成については、強化繊維と樹脂とからなる竿素材が周知（刊行物４参照。）であり、強化繊維と樹脂とからなる糸支持手段が、上記刊行物５に記載されていると認められるものの、糸支持手段が、強化繊維と樹脂とからなる竿素材の内面に、一体的に焼成形成された凹凸面である点は、上記刊行物２〜５に記載されておらず、また、周知であるともいえない。
　そして、訂正明細書の請求項１に係る発明は、上記相違点２により、訂正明細書第４頁第１９、２０行に記載の「竿素材と糸支持手段の密着度が高く、魚が掛かって竿が弓なりに曲がった場合においても、糸支持手段が竿内面より離れることはない。」という効果を奏するものと認められる。
　したがって、訂正明細書の請求項１に係る発明は、上記刊行物１に記載の発明及び周知技術（刊行物１〜５参照。）に基いて当業者が容易に発明をすることができたものであるとすることはできない。
　また、訂正明細書の請求項１に係る発明は、他に独立して特許を受けることができないとする理由も発見しないから、特許出願の際独立して特許を受けることができるものである。
　訂正明細書の請求項３に係る発明は、訂正明細書の請求項１に係る発明を引用するものであるから、訂正明細書の請求項１に係る発明と同じ理由により、特許出願の際独立して特許を受けることができるものである。
２−３−４．むすび
　以上のとおりであるから、上記訂正請求は、特許法等の一部を改正する法律（平成６年法律第１１６号）附則第６条第１項の規定によりなお従前の例によるとされる、特許法第１２０条の４第２項、同条第３項で準用する同法第１２６条第２〜４項の規定に適合し、当該訂正は認められる。
３．特許異議申立てについて
３−１．特許異議申立ての理由の概要
　特許異議申立人　池田　廣一は、甲第１号証（上記刊行物１）、甲第２号証（上記刊行物２）、甲第３号証（上記刊行物３）、甲第４証（上記刊行物４）、甲第５号証（上記刊行物５）を提出し、特許明細書の請求項１、２、３、６に係る各発明は、甲第１号証に記載された発明及び周知技術（甲第１〜５号証参照。）に基いて、当業者が容易に発明をすることができたものであるから、特許法第２９条第２項の規定により特許を受けることができないものであり、特許明細書の請求項１、２、３、６に係る各発明の特許は同法第１１３条第１項第２号の規定により取り消すべきものである旨主張している。
３−２．当審の判断
　本件請求項１〜４に係る各発明は訂正明細書の特許請求の範囲に記載されたとおりのものであり、特許異議申立人が特許を取り消すべきと主張した、特許明細書の特許請求の範囲の請求項１、２、３、６に係る各発明のうち、請求項１、２に係る各発明は、訂正請求により削除されたから判断する必要はなく、請求項３、６に係る各発明は、訂正請求によりそれぞれ請求項１、３に係る各発明となった。そして、本件請求項１、３に係る各発明について判断すると、特許異議申立人が主張する取消理由及び提出した甲第１〜５号証は、当審が通知した取消理由及び引用した刊行物と同じであるから、上記「２−３−３．対比・判断」で述べたように、本件請求項１、３に係る各発明は、上記刊行物１に記載の発明及び周知技術（甲第１〜５号証参照。）に基いて当業者が容易に発明をすることができたものであるとすることはできない。
　また、他に本件請求項１、３に係る各発明の特許を取り消すべき理由を発見しない。
　よって、結論のとおり決定する。
【異議決定日】
平成１１年１０月１２日（１９９９．１０．１２）
【訂正の要旨】
　本件特許第２７８８４１６号の訂正事項は、以下のとおりである。
〔Ｉ〕特許請求の範囲の減縮を目的として、特許明細書の特許請求の範囲の記載を、
「【請求項１】　大径竿体の先端部内面に小径竿体における後端部を嵌合固定可能に形成するとともに、前記先端部より後方側部分に、糸（ａ）を支持する糸支持手段を設けてある中通し竿であって、
前記糸支持手段の内面径（Ｄ）を前記先端部の内面径（ｄ）より大径に形成し、前記小径竿体を前記大径竿体の糸支持手段形成部位内に装入可能に構成するとともに、前記大径竿体における先端部の竿厚（Ｌ１）を前記後方側部分の竿厚（Ｌ２）より厚く設定してあり、
　前記糸支持手段が、強化繊維と樹脂とからなる竿素材の内面に、周方向に沿って一体的に焼成形成された凹凸面（８Ａ，８Ｂ）である中通し竿。
　【請求項２】　前記凸面部（８Ｂ）に、周方向の強化繊維が配置してある請求項１記載の中通し竿。
　【請求項３】　前記糸支持手段が螺旋体である請求項１記載の中通し竿。
　【請求項４】　大径竿体の先端部内面に小径竿体における後端部を嵌合固定可能に形成するとともに、前記先端部より後方側部分に、糸（ａ）を支持する糸支持手段を設けてある中通し竿であって、
　前記糸支持手段の内面径（Ｄ）を前記先端部の内面径（ｄ）より大径に形成し、前記小径竿体を前記大径竿体の糸支持手段形成部位内に装入可能に構成するとともに、前記大径竿体における先端部の竿厚（Ｌ１）を前記後方側部分の竿厚（Ｌ２）より厚く設定してあり、
　前記糸支持手段がリング体である中通し竿。」と訂正する。
〔ＩＩ〕明りょうでない記載の釈明を目的として、
（１）特許明細書の発明の詳細な説明の欄の段落【０００３】を、
「【発明が解決しようとする課題】
　しかしながら、上記従来構成のように大径竿体に装着した糸支持手段の内径を小径竿体の後端部外径より大きくする為に、大径竿体の先端部より後方部分の竿厚を一定にした状態で径を拡大している。したがって、公報の第１図で示す如く振出竿を長く伸ばして使用する場合に、小径竿体の後端部を嵌合固定した大径竿体前端部は、その外径が細くなった部分で魚の荷重に対抗することになるので、強度面で不十分な面があった。
　つまり、魚が針掛かりしてそれに対抗する状態で竿が弓なりに曲がった場合に、大径竿体の前端部とこれに嵌合する小径竿体の後端部とが、互いに曲がりの運続性を阻害する直線状態に戻ろうとするので、この部分に大きな荷重が作用し面圧が高くなることになる。これに対して、大径竿体の前端部は後方部分に比べて小径であり、かつ、竿厚も後方部分と同様であるので、このような大きな荷重に対抗するには強度が不足し易く、大径竿体の先端口部に面圧不足による割れが発生することもある。
　本発明の目的は、中通し竿で有りながら糸の繰り出し抵抗を低減できる糸支持手段を装着するものであっても、小径竿体を大径竿体内に収納したコンパクトな仕舞いを可能とするとともに、長く伸ばして使用する場合の大きな曲げ荷重にも十分対応可能な大径竿体の先端部形状を形成し、かつ、糸支持手段と竿との密着性を向上させる点にある。」と訂正する。
（２）特許明細書の発明の詳細な説明の欄の段落【０００４】を、
「【課題を解決するための手段】
　本発明の中通し竿の特徴構成は、大径竿体の先端部内面に小径竿体における後端部を嵌合固定可能に形成するとともに、前記先端部より後方側部分に、糸を支持する糸支持手段を設けてある中通し竿であって、前記糸支持手段の内面径を前記先端部の内面径より大径に形成し、前記小径竿体を前記大径竿体の糸支持手段形成部位内に装入可能に構成するとともに、前記大径竿体における先端部の竿厚を前記後方側部分の竿厚より厚く設定してあり、前記糸支持手段が、強化繊維と樹脂とからなる竿素材の内面に、周方向に沿って一体的に焼成形成された凹凸面である点にあり、その作用効果は次の通りである。」と訂正する。
（３）特許明細書の発明の詳細な説明の欄の段落【０００５】を、
「【作用】
　糸支持手段の内面径を前記先端部の内面径より大径に形成することによって、この先端部の内面に嵌合する後端部を有する小径竿体は、テーパ状の先細り状態であるから、糸支持手段の形成部位内に入り込むことが可能になり、小径竿体を大径竿内に収納することができ、竿の仕舞いの状態をコンパクトなものにでき、大径竿体の先端部は、糸支持手段を装着した後方部分より竿厚が厚いので、魚が掛かった場合の曲げ荷重にも十分対応でき、竿の先端口部の割れ等を防止することが可能である。
　しかも、糸支持手段が竿素材の内面に一体的に焼成形成されたものであるので、その為に糸持手段が竿素材と別体に形成されかつ糸支持手段自体の弾性変形に起因する圧接力や接着剤等で竿内に支持されている場合に比べて密着度が低いという懸念はなく、魚が掛かって竿が弓なりに曲がった場合においても、糸支持手段が竿内面より離れることはない。」と訂正する。
（４）特許明細書の発明の詳細な説明の欄の段落【０００６】を、
「【発明の効果】
　糸支持手段を設けている割には、小径竿体を大径竿体内に収納して竿の仕舞いをコンパクトにできることによって、釣り場所を移動する場合等の持ち運び時においても釣り人の負担とならない良さがあるとともに、竿の厚さを荷重の作用する部位に対応してその荷重に耐えうるように設定することによって、竿の先端口部の割れ等を未然に回避できるに至った。
　そして、大径竿体の先端部の竿厚が厚いものであるから、この部分の剛性を高くすることができ、この先端部が変形しにくくなっているので、小径竿体を収納する際に、例えば先端部の剛性が低く変形し易い場合に見られるように小径竿体の進入方向が竿軸芯からズレようとする傾向をこの剛性の低い先端部で抑えることは難しいが、本発明の場合は、剛性が高いので、その先端部で竿軸芯から大きく逸れさせることを阻止でき、それだけ小径竿体で糸支持手段を接触損傷させるといったことも防止できる。
　しかも、糸支持手段が竿素材の内面に一体的に焼成形成されたものであるので、竿素材と糸支持手段の密着度が高く、魚が掛かって竿が弓なりに曲がった場合においても、糸支持手段が竿内面より離れることはない。」と訂正する。
（５）特許明細書の発明の詳細な説明の欄の段落【０００７】を、
「［その他の目的・構成・作用・効果］
（１）請求項２における発明の目的は、請求項１における発明の目的に加えて、竿素材の内面で突出する凹凸面を強化して、糸との接触においても容易に弱体化しない構成のものを提供する点にあり、この為に採られた構成は、請求項１の構成において、前記凸面部に、周方向の強化繊維が配置してある点にあり、その作用効果は次の通りである。
　つまり、凸面部に強化繊維が配置してあるので、その凸面部が強化され、かつ、強化繊維の方向が周方向であるので、周方向に強化繊維が位置することになり、針掛かりした魚の走りに
よって糸の位置が周方向においてズレを生じたとしても、そのズレた位置において強化繊維が配置されているので、強化繊維の機能が十分に生かされることになる。」と訂正する。
（６）特許明細書の発明の詳細な説明の欄の段落【０００８】を、
「（２）請求項３における発明の目的は、請求項１の目的に加えて、糸支持手段としてより取扱易いものを提供する点にあり、この為に採られた構成は、請求項１の構成において、前記糸支持手段が螺旋体である点にあり、その作用効果は次の通りである。
　つまり、螺旋体であるので、リング体の複数個分を一体で取り扱うことができ、製作時において竿体内へ装着する場合にも、一体で取扱うことができるので、取扱いが容易になる。」と訂正する。
（７）特許明細書の発明の詳細な説明の欄の段落【０００９】を、
「（３）請求項４における発明の目的は、中通し竿で有りながら糸の繰り出し抵抗を低減できる糸支持手段を装着するものであっても、小径竿体を大径竿体内に収納したコンパクトな仕舞いを可能とするとともに、長く伸ばして使用する場合の大きな曲げ荷重にも十分対応可能な大径竿体の先端部形状を形成すると共に、糸支持手段としての材質等を容易に選定できるものを提供する点にあり、この為に採られた構成は、大径竿体の先端部内面に小径竿体における後端部を嵌合固定可能に形成するとともに、前記先端部より後方側部分に、糸を支持する糸支持手段を設けてある中通し竿であって、前記糸支持手段の内面径を前記先端部の内面径より大径に形成し、前記小径竿体を前記大径竿体の糸支持手段形成部位内に装入可能に構成するとともに、前記大径竿体における先端部の竿厚を前記後方側部分の竿厚より厚く設定してあり、前記糸支持手段がリング体である点にあり、その作用効果は次の通りである。」と訂正する。
（８）特許明細書の発明の詳細な説明の欄の段落【００１０】を、
「糸支持手段の内面径を前記先端部の内面径より大径に形成することによって、この先端部の内面に嵌合する後端部を有する小径竿体は、テーパ状の先細り状態であるから、糸支持手段の形成部位内に入り込むことが可能になり、小径竿体を大径竿体内に収納することができ、竿の仕舞いの状態をコンパクトなものにでき、大径竿体の先端部は、糸支持手段を装着した後方部分より竿厚が厚いので、魚が掛かった場合の曲げ荷重にも十分対応でき、竿の先端口部の割れ等を防止することが可能である。」と訂正する。
（９）特許明細書の発明の詳細な説明の欄の段落【００１１】を、
「さらに、糸支持手段がリング体であるので、収納される小径竿体の外形と同様な形状となり収納を円滑に行えるとともに、リング体として竿体とは別体に構成してあるので、その材質等を任意に選定でき、製作上有利である。」と訂正する。
（５４）【発明の名称】
中通し竿
（５７）【特許請求の範囲】
　　【請求項１】
　大径竿体の先端部内面に小径竿体における後端部を嵌合固定可能に形成するとともに、前記先端部より後方側部分に、糸（ａ）を支持する糸支持手段を設けてある中通し竿であって、
　前記糸支持手段の内面径（Ｄ）を前記先端部の内面径（ｄ）より大径に形成し、前記小径竿体を前記大径竿体の糸支持手段形成部位内に装入可能に構成するとともに、前記大径竿体における先端部の竿厚（Ｌ１）を前記後方側部分の竿厚（Ｌ２）より厚く設定してあり、
　前記糸支持手段が、強化繊維と樹脂とからなる竿素材の内面に、周方向に沿って
一体的に焼成
　　【請求項２】
　前記凸面部（８Ｂ）に、周方向の強化繊維が配置してある請求項１記載の中通し竿。
　　【請求項３】
　前記糸支持手段が螺旋体である請求項
１
　　【請求項４】
　大径竿体の先端部内面に小径竿体における後端部を嵌合固定可能に形成するとともに、前記先端部より後方側部分に、糸（ａ）を支持する糸支持手段を設けてある中通し竿であって、
　前記糸支持手段の内面径（Ｄ）を前記先端部の内面径（ｄ）より大径に形成し、前記小径竿体を前記大径竿体の糸支持手段形成部位内に装入可能に構成するとともに、前記大径竿体におけ先端部の竿厚（Ｌ１）を前記後方側部分の竿厚（Ｌ２）より厚く設定してあり、
　前記糸支持手段がリング体である中通し竿。
【発明の詳細な説明】
　【０００１】
　　【産業上の利用分野】
　本発明は大径竿体の先端部内面に小径竿体における後端部を嵌合固定可能に形成するとともに、前記先端部より後方側部分に、糸を支持する糸支持手段を設け、この糸支持手段で竿内を通る糸を支持して、糸の繰り出し及び巻上げ時の糸と竿内面との摺動抵抗を低減する構成を有している中通し竿に関する。
　【０００２】
　　【従来の技術】
　上記のような構成を有する中通し竿として、従来より知られているものの一つとして、実開平３−６７５５４号公報に示されたものがあり、このものの要旨は、中通し竿を構成する各竿体内にスパイラル状の糸支持手段を設けて、糸の摺動抵抗を低減する構成を採るとともに、それだけに止まらず、大径竿体に装着された糸支持手段の内径を、小径竿体の後端部外径より大きくしていた。
　このような構成によって、小径竿体を大径竿体の糸支持手段形成部位まで収納することができ、竿内部に糸支持手段を装着するものであってもいわゆる振出竿を構成することが可能なものであった。
　【０００３】
　　【発明が解決しようとする課題】
　しかしながら、上記従来構成のように大径竿体に装着した糸支持手段の内径を小径竿体の後端部外径より大きくする為に、大径竿体の先端部より後方部分の竿厚を一定にした状態で径を拡大している。したがって、公報の第１図で示す如く振出竿を長く伸ばして使用する場合に、小径竿体の後端部を嵌合固定した大径竿体前端部は、その外径が細くなった部分で魚の荷重に対抗することになるので、強度面で不十分な面があった。
　つまり、魚が針掛かりしてそれに対抗する状態で竿が弓なりに曲がった場合に、大径竿体の前端部とこれに嵌合する小径竿体の後端部とが、互いに曲がりの連続性を阻害する直線状態に戻ろうとするので、この部分に大きな荷重が作用し面圧が高くなることになる。これに対して、大径竿体の前端部は後方部分に比べて小径であり、かつ、竿厚も後方部分と同様であるので、このような大きな荷重に対抗するには強度が不足し易く、大径竿体の先端口部に面圧不足による割れが発生することもある。
　本発明の目的は、中通し竿で有りながら糸の繰り出し抵抗を低減できる糸支持手段を装着するものであっても、小径竿体を大径竿体内に収納したコンパクトな仕舞いを可能とするとともに、長く伸ばして使用する場合の大きな曲げ荷重にも十分対応可能な大径竿体の先端部形状を形成
し、かつ、糸支持手段と竿との密着性を向上させる
　【０００４】
　　【課題を解決するための手段】
　本発明の中通し竿の特徴構成は、大径竿体の先端部内面に小径竿体における後端部を嵌合固定可能に形成するとともに、前記先端部より後方側部分に、糸を支持する糸支持手段を設けてある中通し竿であって、前記糸支持手段の内面径を前記先端部の内面径より大径に形成し、前記小径竿体を前記大径竿体の糸支持手段形成部位内に装入可能に構成するとともに、前記大径竿体における先端部の竿厚を前記後方側部分の竿厚より厚く設定してあり
前記糸支持手段が、強化繊維と樹脂とからなる竿素材の内面に、周方向に沿って一体的に焼成形成された凹凸面である
　【０００５】
　　【作用】
　糸支持手段の内面径を前記先端部の内面径より大径に形成することによって、この先端部の内面に嵌合する後端部を有する小径竿体は、テーパ状の先細り状態であるから、糸支持手段の形成部位内に入り込むことが可能になり、小径竿体を大径竿体内に収納することができ、竿の仕舞いの状態をコンパクトなものにでき、大径竿体の先端部は、糸支持手段を装着した後方部分より竿厚が厚いので、魚が掛かった場合の曲げ荷重にも十分対応でき、竿の先端口部の割れ等を防止することが可能である。
　
しかも、糸支持手段が竿素材の内面に一体的に焼成形成されたものであるので、その為に糸支持手段が竿素材と別体に形成されかっ糸支持手段自体の弾性変形に起因する圧接力や接着剤等で竿内に支持されている場合に比べて密着度が低いという懸念はなく、魚が掛かって竿が弓なりに曲がった場合においても、糸支持手段が竿内面より離れることはない
　【０００６】
　　【発明の効果】
　糸支持手段を設けている割には、小径竿体を大径竿体内に収納して竿の仕舞いをコンパクトにできることによって、釣り場所を移動する場合等の持ち運び時においても釣り人の負担とならない良さがあるとともに、竿の厚さを荷重の作用する部位に対応してその荷重に耐えうるように設定することによって、竿の先端口部の割れ等を未然に回避できるに至った。
　そして、大径竿体の先端部の竿厚が厚いものであるから、この部分の剛性を高くすることができ、この先端部が変形しにくくなっているので、小径竿体を収納する際に、例えば先端部の剛性が低く変形し易い場合に見られるように小径竿体の進入方向が竿軸芯からズレようとする傾向をこの剛性の低い先端部で抑えることは難しいが、本発明の場合は、剛性が高いので、その先端部で竿軸芯から大きく逸れさせることを阻止でき、それだけ小径竿体で糸支持手段を接触損傷させるといったことも防止できる。
　
しかも、糸支持手段が竿素材の内面に一体的に焼成形成されたものであるので、竿素材と糸支持手段の密着度が高く、魚が掛かって竿が弓なりに曲がった場合においても、糸支持手段が竿内面より離れることはない
　【０００７】
　　［その他の目的・構成・作用・効果］
（１）請求項２における発明の目的は、請求項１における発明の目的に加えて、竿素材の内面で突出する凹凸面を強化して、糸との接触においても容易に弱体化しない構成のものを提供する点にあり、この為に採られた構成は、請求項１の構成において、前記凸面部に、周方向の強化繊維が配置してある点にあり、その作用効果は次の通りである。
　つまり、凸面部に強化繊維が配置してあるので、その凸面部が強化され、かつ、強化繊維の方向が周方向であるので、周方向に強化繊維が位置することになり、針掛かりした魚の走りによって糸の位置が周方向においてズレを生じたとしても、そのズレた位置において強化繊維が配置されているので、強化繊維の機能が十分に生かされることになる
　【０００８】
（２）請求項３における発明の目的は、請求項１の目的に加えて、糸支持手段としてより取扱易いものを提供する点にあり、この為に採られた構成は、請求項１の構成において、前記糸支持手段が螺旋体である点にあり、その作用効果は次の通りである。
　つまり、螺旋体であるので、リング体の複数個分を一体で取り扱うことができ、製作時において竿体内へ装着する場合にも、一体で取扱うことができるので、取扱いが容易になる
　【０００９】
（３）請求項４における発明の目的は、中通し竿で有りながら糸の繰り出し抵抗を低減できる糸支持手段を装着するものであっても、小径竿体を大径竿体内に収納したコンパクトな仕舞いを可能とするとともに、長く伸ばして使用する場合の大きな曲げ荷重にも十分対応可能な大径竿体の先端部形状を形成すると共に、糸支持手段としての材質等を容易に選定できるものを提供する点にあり、この為に採られた構成は、大径竿体の先端部内面に小径竿体における後端部を嵌合固定可能に形成するとともに、前記先端部より後方側部分に、糸を支持する糸支持手段を設けてある中通し竿であって、前記糸支持手段の内面径を前記先端部の内面径より大径に形成し、前記小径竿体を前記大径竿体の糸支持手段形成部位内に装入可能に構成するとともに、前記大径竿体における先端部の竿厚を前記後方側部分の竿厚より厚く設定してあり、前記糸支持手段がリング体である点にあり、その作用効果は次の通りである
　【００１０】
　
糸支持手段の内面径を前記先端部の内面径より大径に形成することによって、この先端部の内面に嵌合する後端部を有する小径竿体は、テーパ状の先細り状態であるから、糸支持手段の形成部位内に入り込むことが可能になり、小径竿体を大径竿体内に収納することができ、竿の仕舞いの状態をコンパクトなものにでき、大径竿体の先端部は、糸支持手段を装着した後方部分より竿厚が厚いので、魚が掛かった場合の曲げ荷重にも十分対応でき、竿の先端口部の割れ等を防止することが可能である
　【００１１】
　
さらに、糸支持手段がリング体であるので、収納される小径竿体の外形と同様な形状となり収納を円滑に行えるとともに、リング体として竿体とは別体に構成してあるので、その材質等を任意に選定でき、製作上有利である
　【００１２】
　　【実施例】
　図１及び図２に示すように、穂先竿１、２番竿２、３番竿３及び４番竿４、これら穂先竿１及び２番竿２、３番竿３、４番竿４を振出式に装着する元竿５、更に、元竿５に対して伸縮可能な補助竿体６を配して、振出し型中通し竿を構成する。補助竿体６に形成したリール脚装着部６にリール７を取り付け、このリール７より繰り出された糸ａを、元竿５の外面に形成した長円状糸導入孔５Ａを通して、穂先竿１及び２番竿２、３番竿３、４番竿４に挿入するようにしてある。
　【００１３】
　次に、穂先竿１及び２番竿２、３番竿３、４番竿４について説明する。図１に示すように、穂先竿１、２番竿２、３番竿３、４番竿４においては、後端の開口部１Ａ，２Ａ，３Ａ，４Ａに糸ａの摺動抵抗を低減すべく、糸ａを支持する硬質の糸案内リング１Ｂ，２Ｂ，３Ｂ，４Ｂを設けてある。そして、各竿１，２，３，４，５における竿の内面には、後記するような凹凸面８Ａ，８Ｂを形成して、糸ａの摺動抵抗を低減するように構成してある。
　【００１４】
　元竿５及び補助竿体６の構成について説明する。図１及び図２に示すように、糸導入孔５Ａとリール７との間に、竿外面に取り付けられる糸ガイド９を二つ設け、二つの糸ガイド９，９の高さを異なる高さにして、リール７と糸導入孔５Ａとの間の糸ａの横振れを抑える構成を採っている。又、元竿５にリール７からの糸ａを導入する糸導入孔５Ａと、補助竿体６にリール７を取り付けるリール脚装着部６Ａとを設け、先端から糸導入孔５Ａまでの間隔を、穂先竿１、２番竿２、３番竿３、４番竿４の長さに相当する間隔に設定してある。このような構成によって、穂先竿１、２番竿２、３番竿３、４番竿４を先端から糸導入孔５Ａの間で突出することなく収納できる。
　又、元竿５と補助竿体６とは伸縮可能であり、縮めた状態で補助竿体６の先端部と元竿５の中間部及び補助竿体６の竿尻部と元竿５の竿尻部が嵌合する嵌合構造を有している。
　【００１５】
　次に、穂先竿１、第１、第２中間竿２，３の後端開口部１Ａ，２Ａ，３Ａ，４Ａを収納状態で、糸導入孔５Ａの近傍に位置させる位置決め手段Ｐについて説明する。
　図１に示すように、４番竿４の先端にネジ部を形成するともに、このネジ部に螺合するキャップ１０を設け、このキャップ１０の一端を元竿５の先端に接当させることによって、４番竿４の後端開口部４Ａを糸導入孔５Ａの近傍に位置させることができる。他の竿１，２，３については、後端開口部２Ａ，３Ａ，４Ａに糸案内リング２Ｂ，３Ｂ，４Ｂを装着する仲介部材としての取り付け座２Ｃ，３Ｃ，４Ｃに内側の竿の後端開口部１Ａ，２Ａ，３Ａを嵌入させて、各竿１，２，３，４の後端開口部１Ａ，２Ａ，３Ａを糸導入孔５Ａの近傍に位置させるように構成してある。以上のように、キャップ１０と元竿４の先端、及び、各中間竿２，３，４の後端開口部２Ａ，３Ａ，４Ａと取り付け座２Ｃ，３Ｃ，４Ｃとを位置決め手段Ｐと称する。
　【００１６】
　次に、穂先竿１〜元竿５までの内面に凹凸面８Ａ，８Ｂを形成する過程を竿の製造方法を通して説明する。
　図３（イ）に示すように、芯金１１に離型材としてのワックス１２を塗布するとともに、図３（ロ）に示すように、この上から離型用のポリエステルテープ１３をそのテープ１３の側面同士が接触する状態に密巻きし、この状態から図３（ハ）に示すように、凹凸形成用のテープ１４を芯金軸芯方向に所定間隔を持って巻回するようにしてある。この凹凸形成用のテープ１４は基材が布であり、細い芯金１１へも適用できるように柔軟性、凹凸面の精度を維持する為の耐熱性、芯金軸芯方向での所定間隔の精度を維持する為の無延伸性、を備えることが要求される。図３（ニ）に示すように、凹凸形成用テープ１４の外面に、離型用のポリエステルテープ１５をそのテープ１５の側面同士が接触する状態に密巻きする。これによって、凹凸形成用テープ１４の剥離が容易になる。
　この凹凸形成用テープ１４を巻回したものに油性ワックス１６を塗布し、凹凸形成用テープ１４の剥離を良好に行えるようにするとともに、凹凸形成用テープ１４が施されていない竿内面部（後記する凹凸面８Ａ，８Ｂにおける凸面８Ｂに相当する部分）に油性ワックス６を残して撥水性を付与するようにしてある。
　更に、図４（イ）に示すように、後記する凸面部８Ｂを形成するプリプレグテープ２１を凹凸形成用テープ１４の間を埋めるように巻回する。
　この状態より、図４（ロ）に示すように、周方向に配した炭素繊維に樹脂を含浸させたシート状プリプレグをテープ状に細断し、そのテープ１７Ａを側面同士が接触する状態に密巻きして、最内層を形成する。これより更に、図４（ハ）に示すように、炭素繊維を軸芯方向に配したプリプレグテープ１７Ｂを、その側面同士が接触する状態になるように密巻きして、第２層を形成する。そして、さらに、周方向に炭素繊維を配したプリプレグテープ１７Ｃと軸芯方向に炭素繊維を配したプリプレグテープ１７Ｄを巻回して第３層及び第４層を形成し、図６に示すように、４層構造の竿素材１７を形成する。
　このような竿素材７の外面に、図４（ニ）に示すように、保形用テープとしてのポリエステルテープ１８を巻回して、図５（イ）に示すように、焼成し、図５（ロ）’に示すように、焼成後ポリエステルテープ８を剥離し、図５（ハ）に示すように、離型用テープ１３，１５とともに凹凸形成用テープ１４を取り外す。これによって、内周面に螺旋状の凹凸面８Ａ，８Ｂを有する竿素材１７を形成することができるとともに、凸面８Ｂ内に周方向の繊維を配置することができるのである。
　【００１７】
　次に、凹凸面８Ａ，８Ｂの形状について説明する。図７に示すように、凹凸面８Ａ，８Ｂの寸法は、次のようになる。凸面８Ｂの幅Ｌ′＝０．８〜１．２ｍｍ、凹面８Ａの幅Ｌ＝６．７〜７．３ｍｍ、凸面８Ｂの高さＨ＝０．４〜０．６ｍｍである。凸面８Ｂの断面形状としては、角形に近いが、台形、三角形等を採用できる。又、角部が先鋭とならないように丸みを持たせたものでもよい。
　【００１８】
　２番竿２〜元竿５までの先端における嵌合構造について説明する。各構造は同一であるので、２番竿２で説明する。図８に示すように、芯金１１にワックス１２を塗布した状態で、２番竿２の先端相当位置に合わせ部用のブリプレグパターン１９を巻回し、合わせ部用の内面を後側程大径化するテーパ面に形成してある。そして、この合わせ部２Ｄにおける竿厚Ｌ１をその後方に形成された凹凸面形成部位における竿厚Ｌ２より厚くしている。そして、合わせ部２Ｄの内径ｄより凸面部８Ｂの内径Ｄより小さくしている。これによって、凹凸面形成部位まで例えば、小径竿体としての２番竿２を大径竿体としての３番竿３内に収納することができ、穂先竿１〜４番竿４までの竿を収納すると、図１に示す如くなる。この場合に、補助竿体６を元竿５に被せるように収縮することができる。
　図中２０は竿先端を保護する口金具である。又、図４（ニ）に示すように、凸面部８Ｂを形成するのに、凹凸形成用テープ１４の間を埋めるように、プリプレグテープ２１を巻回するので、段差を生じることなく、第２層以降を巻回することができて、竿素材１７の外面は一定傾斜の緩傾斜面を呈している。
　但し、竿の先端部における外面には、プリプレグパターンを巻回して形成したわずかにふくらんでいる部分を有している。
　【００１９】
　　〔別実施例〕
　Ａ．凹凸面８Ａ，８Ｂの別の形態について説明する。
　（１）第１実施例においては、図５（ハ）に示すように、凹凸面８Ａ，８Ｂを螺旋状に形成したが、凸面８Ｂがリング状になるように構成してもよい。この場合には、凹凸形成用テープ１４を巻回していく場合には、テープ１４を各凹面８Ａ毎にリング状に巻付けて行くことが必要である。
　このように周方向にリング状に凸面８Ｂを形成することによって、凸面８Ｂと周方向に配された炭素繊維とが同方向になるので、炭素繊維が凹凸部の切り換わり点と交差することがないので曲げられることがなく、竿の曲げに対する強度を高く維持できる。
　次に、凸面８Ｂの断面形状としては、台形状にしてもよく、凹凸形成用テープ１４を剥離する際に、剥離を容易に行えるようにして、凸面角部の磨滅を阻止するようにしてある。
　（２）凹凸面８Ａ，８Ｂを形成するに竿素材１７と同様にプリプレグを使用したが、竿素材１７とは別の部材で構成してもよい。つまり、セラミック等の硬質部材でリング体を形成したり、金属材で螺旋体を形成してもよい。
　このようにすることによって、材質を異なるものに選定できるとともに、形状も任意にできる。つまり、凸面部８Ｂの断面形状を円形以外に、楕円や角形にすることができる。また、リングの形状としては、完全なリングでなくても一部が切り欠かれていてもよい。そして、その切欠き部を大きくしたＣ字型であってもよい。糸支持手段の材質としては、セラミック、金属等の硬質材を主とするが、樹脂やゴム等の軟質材を使用してもよい。また、これらの糸支持体６の表面に糸の滑りを良くするコーティング材を施してもよい。
　（３）収納可能な穂先竿１と２番竿２とを、小径竿体及び大径竿体と称し、元竿５までが夫々小径竿体であり、大径竿体ともなる。
　（４）以上記載した実施例は振出竿について適用する例を説明したが、並継ぎ竿に適用してもよい。
　【００２０】
　尚、特許請求の範囲の項に図面との対照を便利にするために符号を記すが、該記入により本発明は添付図面の構成に限定されるものではない。
【図面の簡単な説明】
　　　【図１】
　穂先竿と中間竿とを元竿内に収納し、補助竿体を元竿に被嵌させた状態を示す一部切欠き側面図
　　　【図２】
　穂先竿、中間竿、及び、補助竿体を元竿に対して伸長させた状態を示す側面図
　　　【図３】
　竿を作成する前半の工程を示す斜視図
　　　【図４】
　竿を作成する中間の工程を示す斜視図
　　　【図５】
　竿を作成する後半の工程を示す斜視図
　　　【図６】
　図５（ロ）を終えた状態での竿素材の縦断側面図
　　　【図７】
　凹凸面の断面形状を示す縦断側面図
　　　【図８】
　２番竿、３番竿における玉口部分を示す縦断側面図
　　　【符号の説明】
　８Ａ，８Ｂ　　　　　　凹凸面
　８Ｂ　　　　　　　　　凸面部
　Ｄ，ｄ　　　　　　　　内面径
　Ｌ１，Ｌ２　　　　　　竿厚
　ａ　　　　　　　　　　糸